(57)【要約】【課題】ユーザ特性に応じて、情報提供手法を変更可能な情報提供装置を提供すること。【解決手段】ユーザ特性を記憶するユーザ特性記憶部２５、当該ユーザ特性記憶部２５に記憶されたユーザ特性に基づいて、情報出力部からの情報出力速度及び／又は情報出力時間を変更する制御部２２を備える構成とする。これにより、ユーザ特性に応じて、情報出力部１２による情報提供を変更することができる。情報提供時間をユーザ特性に合わせることができるので、情報認識の遅いユーザであっても、情報を確実に認識することができる。そのため、ユーザが感じる煩わしさを低減することができる。【選択図】図１
2010185686.tif 000002
【特許請求の範囲】
【請求項１】
ユーザに情報を提供する情報提供装置であって、
ユーザ特性を記憶するユーザ特性記憶部と、
前記ユーザに対して情報を出力する情報出力部と、
前記ユーザ特性記憶部に記憶されたユーザ特性に基づいて、前記情報出力部からの情報出力速度及び／又は情報出力時間を変更する制御部とを有することを特徴とする情報提供装置。
【請求項２】
ユーザによって操作入力される入力手段を備え、
前記入力手段からの操作入力速度を前記ユーザ特性として前記ユーザ特性記憶部に記憶することを特徴とする請求項１記載の情報提供装置。
【請求項３】
車両に搭載され、
車速を検出する車速検出手段を備え、
前記車速検出手段によって検出された前記車速を前記ユーザ特性として前記ユーザ記憶部に記憶することを特徴とする請求項１又は２記載の情報提供装置。
【発明の詳細な説明】
【技術分野】
【０００１】
本発明は、情報提供装置に関する。
【背景技術】
【０００２】
従来、車載ナビゲーションシステムにおいて、車速が速い場合や悪路を走行中など、操作入力が難しい場合に、入力操作画面の表示時間を長くすることで、操作性を向上させるものがある（例えば、特許文献１参照）。また、車載ナビゲーションシステムにおいて、車速が速い場合に、ナビゲーション表示を暗くすることで、情報提供動作を変更するものがある（例えば、特許文献２参照）。また、車載マルチメディアにおいて、渋滞時には、テンポの速い音楽を出力することで、情報提供動作を変更するものがある（例えば、特許文献３参照）。
【先行技術文献】
【特許文献】
【０００３】
【特許文献１】特開２００７−３０２２１５号公報
【特許文献２】特開２００７−１３２８７０号公報
【特許文献３】特開２００７−３０３９８１号公報
【発明の概要】
【発明が解決しようとする課題】
【０００４】
しかしながら、従来の技術では、例えばナビゲーションシステムなどの情報提供装置から出力された情報に、操作者（ユーザ）が反応できない場合があった。例えば、操作者が高齢であるにも関わらず、早口に音声案内してしまい、操作者が聞き取り難いということがあった。
【０００５】
本発明は、このような課題を解決するために成されたものであり、ユーザ特性に応じて、情報提供手法を変更可能な情報提供装置を提供することを目的とする。
【課題を解決するための手段】
【０００６】
本発明による情報提供装置は、ユーザに情報を提供する情報提供装置であって、ユーザ特性を記憶するユーザ特性記憶部と、ユーザに対して情報を出力する情報出力部と、ユーザ特性記憶部に記憶されたユーザ特性に基づいて、情報出力部からの情報出力速度及び／又は情報出力時間を変更する制御部とを有することを特徴としている。
【０００７】
このような情報提供装置によれば、ユーザ特性を記憶するユーザ特性記憶部を備え、このユーザ特性記憶部に記憶されたユーザ特性に基づいて、情報出力部からの情報出力速度及び／又は情報出力時間を変更することができる。これにより、ユーザ特性に応じて、情報出力部による情報提供を変更することができる。情報提供時間をユーザ特性に合わせることができるので、情報認識の遅いユーザであっても、情報を確実に認識することができる。そのため、ユーザが感じる煩わしさを低減することができる。なお、「情報出力速度」とは、情報表示速度、音声出力速度などを含むものである。また、「情報出力時間」とは、情報提供時間、音声出力時間（回数）などを含むものである。
【０００８】
ここで、ユーザによって操作入力される入力手段を備え、入力手段からの操作入力速度をユーザ特性としてユーザ特性記憶部に記憶することが好適である。これにより、事前にユーザの個人情報を入力しなくても、ユーザ特性を認識することができるので、情報出力速度、情報出力時間をユーザ特性に合わせることができる。
【０００９】
また、車両に搭載され、車速を検出する車速検出手段を備え、車速検出手段によって検出された車速をユーザ特性としてユーザ記憶部に記憶することが好ましい。これにより、車速に基づいて、ユーザ特性を認識することができる。
【発明の効果】
【００１０】
本発明の情報提供装置によれば、情報出力時間及び／又は情報出力速度をユーザ特性に合わせることができる。
【図面の簡単な説明】
【００１１】
【図１】本発明の実施形態に係る情報提供装置の概略構成図である。
【図２】操作テンポと車速との関係を示すマトリックスである。
【図３】道路種別ごとの車速値の重み付けを示す表である。
【図４】本発明の他の実施形態に係る情報提供装置の概略構成図である。
【発明を実施するための形態】
【００１２】
以下、本発明による情報提供装置の好適な実施形態について図面を参照しながら説明する。なお、図面の説明において同一または相当要素には同一の符号を付し、重複する説明は省略する。図１は、本発明の実施形態に係る情報提供装置の概略構成図である。
【００１３】
図１に示す情報提供装置１は、車両に搭載され、ユーザ（例えばドライバ）に情報を提供するものであり、ナビゲーションシステム１０、情報提供電子制御ユニット（以下、「情報提供ＥＣＵ」という）２０、および車輪速センサ１６を備えている。
【００１４】
ナビゲーションシステム１０は、車両の現在位置を取得して、目的地までの経路案内を行うシステムである。ナビゲーションシステム１０は、ユーザによって操作入力される入力部１１、ユーザに情報提供を行う出力部１２を有している。
【００１５】
入力部１１として、ユーザによって操作される各種ボタン、タッチパネルなどが挙げられる。出力部１２として、ユーザに視認される画像表示装置（液晶パネル）、音声案内出力を行うスピーカなどが挙げられる。
【００１６】
車輪速センサ１６は、車両の４輪にそれぞれ設けられ、車輪の回転速度（車輪の回転に応じたパルス数）を検出するセンサである。車輪速センサ１６では、所定時間毎の車輪の回転パルス数を検出し、その検出した車輪回転パルス数を情報提供ＥＣＵ２０に送信する。
【００１７】
情報提供ＥＣＵ２０は、演算処理を行うＣＰＵ、記憶部となるＲＯＭ及びＲＡＭ、入力信号回路、出力信号回路、電源回路などにより構成されている。情報提供ＥＣＵ２０は、ナビゲーションシステム１０及び車輪速センサ１６と電気的に接続されている。情報提供ＥＣＵ２０では、記憶部に記憶されたプログラムを実行することで、操作情報取得部２１、制御部２２、車速取得部２３が構築される。
【００１８】
また、情報提供ＥＣＵ２０の記憶部には、ユーザ特性記憶部２５が構築され、ユーザ特性記憶部２５には、操作履歴記憶部２６及び車速記憶部２７が構築されている。
【００１９】
車速取得部２３は、車輪速センサ１６から出力された信号に基づいて、車速（車速履歴）を算出する。車速記憶部２７は、車速を記憶する。車速記憶部２７は、車速を道路毎に蓄積するＤＢである。
【００２０】
操作情報取得部２１は、ナビゲーションシステム１０から出力された信号に基づいて、ユーザによる操作情報を取得する。操作情報取得部２１は、ユーザが操作した入力操作の間隔や時間を操作情報として取得する。操作履歴記憶部２６は、操作情報（操作履歴）を記憶する。操作履歴記憶部２８は、操作情報を蓄積するＤＢである。
【００２１】
制御部２２（インタラクションスピード判断システム）は、操作履歴記憶部２６に記憶された操作履歴、車速記憶部２７に記憶された車速履歴を入力し、ユーザのインタラクションスピード（反応速度など）を判断し、ユーザへ情報提供を行うナビゲーションシステム１０へ反映させるものである。
【００２２】
制御部２２は、ユーザ特性記憶部２５に記憶されたユーザ特性（操作入力速度、車速）に基づいて、出力部１２からの情報出力速度及び情報出力時間を変更する本発明の制御部として機能するものである。
【００２３】
図２は、操作テンポと車速との関係を示すマトリックスである。図２に示すマトリックスは、ナビゲーションシステム１０の入力部１１に対して行う操作入力速度（操作テンポ）と車速とをマトリックス化したものである。制御部２２では、ナビゲーションシステム１０のインタラクションスピードを個々のユーザに応じて変更することが可能である。
【００２４】
図２のマトリックスでは、縦軸にユーザのＵＩ（user interface）の操作テンポを示し、横軸に車速を示している。操作テンポは、「遅い」、「普通」、「速い」の３つに区分されている。また、車速も、「遅い」、「普通」、「速い」の３つに区分されている。
【００２５】
図２のマトリックス中に記載された数字は、ナビゲーションシステム１０全体のインタラクションスピードを表現するものであり、例えば、「１」（遅い）、「２」（やや遅い）、「３」（標準値）、「４」（やや速い）、「５」（速い）とランク付けされている。図２のマトリックスでは、車速が遅く、操作テンポが遅い場合に、「１」（遅い）と設定され、車速が普通、且つ操作テンポが普通の場合に「３」（標準値）と設定され、操作テンポが速く、車速が速い場合に、「５」（速い）と設定される。
【００２６】
操作テンポ（ナビ操作速度）の判定項目としては、「ボタン操作間隔」、「画面滞在時間」、「反応時間」などがある。制御部２２は、これらの判定項目に基づいて、操作テンポを判定する。判定結果は、図２のマトリックスに基づく評価に利用される。
【００２７】
「ボタン操作間隔」は、ボタン操作から次のボタン操作までの時間である。例えば、地図のスクロール操作、リストスクロール操作、文字入力操作などに基づいて、「ボタン操作間隔」を判定することができる。
【００２８】
「画面滞在時間」は、画面が切り替わるまでの時間である。例えば、画面に表示されたリストから項目を選択するまでの時間に基づいて、「画面滞在時間」を判定することができる。
【００２９】
「反応時間」は、画面が表示されてから操作を行うまでの時間である。例えば、メニュー画面で、検索方法が選択されるまでの時間に基づいて、「反応時間」を判定することができる。
【００３０】
車速は、一般道、有料道、高速道ごとに、走行距離と速度で平均を算出する。図３は、道路種別ごとの車速値の重み付けを示す表である。図３では、重み付けを「△」（重み付け低い）、「○」（重み付け高い）によって表現している。一般道では、信号などの外的要因が多いこともあり、速度の平均にばらつきが出てしまうため、重み付けが低く設定されている。一方、有料道や高速道では、外的要因が少ないため、重み付け全体の平均値のばらつきが抑えられている。
【００３１】
制御部２２は、ユーザごとにナビゲーションシステム１０のインタラクション項目を変更することができる。制御部２２は、ユーザ特性記憶部２５に記憶されたユーザ特性に基づいて、出力部１２からの情報出力速度、及び情報出力時間を変更する。具体的には、図３に示すマトリックスを用いて、ユーザ特性を数値化し、これを用いて、インタラクションを変更する。
【００３２】
制御部２２によって、設定変更可能なインタラクション項目として、「画面遷移を表現するための動画時間」、「ＯＮＳの表示有無と、表示消去までの時間」、「音声ガイダンスの再生速度」、「リストや地図のスムーススクロール速度」などがある。
【００３３】
制御部２２は、「画面遷移を表現するための動画時間」を、ユーザ特性に応じて設定変更することができる。ナビゲーションシステム１０では、画面が遷移する際に、アニメーションをもって遷移する。制御部２２は、そのアニメーションをする、しない、アニメーションの速度などを、ユーザによって変更する。例えば、図２のマトリックスの数値が「５」の場合には、アニメーションの速度を速くするように、設定変更し、マトリックスの数値が「１」の場合には、アニメーションの速度を遅くするように、設定変更する。
【００３４】
制御部２２は、「ＯＮＳの表示有無と、表示消去までの時間」を、ユーザ特性に応じて設定変更することができる。制御部２２は、操作説明、確認メッセージ、交通情報などのＯＮＳが表示されてから、消去されるまでの時間をユーザによって変更する。例えば、図２のマトリックスの数値が「５」の場合には、表示消去までの時間を短くするように、設定変更し、マトリックスの数値が「１」の場合には、表示消去までの時間を長くするように、設定変更する。
【００３５】
制御部２２は、「音声ガイダンスの再生速度」を、ユーザ特性に応じて設定変更することができる。制御部２２は、経路案内中に流れる案内音声や、操作中に流れる説明音声などのガイダンスについて、ユーザによって再生速度を変更する。例えば、図２のマトリックスの数値が「５」の場合には、再生速度を速くするように、設定変更し、マトリックスの数値が「１」の場合には、再生速度を遅くするように、設定変更する。
【００３６】
制御部２２は、「リストや地図のスムーススクロール速度」を、ユーザ特性に応じて設定変更することができる。制御部２２は、ナビ操作中に実行される地図のスクロールや、リストスクロールについて、ユーザによってスクロールスピードを変更する。例えば、図２のマトリックスの数値が「５」の場合には、スクロールスピードを速くするように、設定変更し、マトリックスの数値が「１」の場合には、スクロールスピードを遅くするように、設定変更する。
【００３７】
このような情報提供装置１によれば、ユーザ特性を記憶するユーザ特性記憶部２５を備え、このユーザ特性記憶部２５に記憶されたユーザ特性に基づいて、出力部１２からの情報出力速度、情報出力時間を変更し、ナビ操作のインタラクションを変更することができる。情報提供時間をユーザ特性に合わせることができるので、情報認識の遅いユーザであっても、情報を確実に認識することができる。そのため、ユーザが感じる煩わしさを低減することができる。なお、「情報出力速度」とは、情報表示速度、音声出力速度などを含むものである。また、「情報出力時間」とは、情報提供時間、音声出力時間（回数）などを含むものである。
【００３８】
ここで、ユーザによって操作入力される入力部１１を備え、入力部１１からの操作入力速度をユーザ特性として操作履歴記憶部２６に記憶することができるので、事前にユーザの個人情報を入力しなくても、ユーザ特性を認識することができ、情報提供時間をユーザごとに変更することができる。
【００３９】
以上、本発明をその実施形態に基づき具体的に説明したが、本発明は、上記実施形態に限定されるものではない。図４は、本発明の他の実施形態に係る情報提供装置の概略構成図である。図４に示す情報提供装置３１が、上記実施形態に係る情報提供装置１と違う点は、事前にユーザ特性を入力するためのユーザ特性入力部１７を更に備える点である。これにより、事前にユーザ特性を入力することで、情報提供時間をユーザごとに変更することができる。
【００４０】
また、上記実施形態では、ナビゲーションシステム１０を有する情報提供装置１としているが、ナビゲーションシステム１０内に、情報提供ＥＣＵ２０が搭載された構成としてもよい。また、情報提供装置１は、情報出力部をナビゲーションシステム１０の出力部１２としているが、情報出力部は、その他の装置のものでもよい。例えば、エアコン、オーディオ、通信機器などその他の装置の情報出力部でもよい。
【００４１】
また、上記実施形態では、情報提供装置１の車両への適用について、説明しているが、例えば、飛行機、列車、船舶などに、搭載された、情報提供装置でもよい。
【００４２】
また、上記実施形態では、ユーザのナビ操作、車速に基づいて、ユーザ特性を認識しているが、その他の動作、運転操作などに基づいて、ユーザ特性を認識してもよい。
【符号の説明】
【００４３】
１，３１…情報提供装置、１１…入力部、１２…出力部（情報出力部）、１６…車輪速センサ、２２…制御部、２５…ユーザ特性記憶部、２６…操作履歴記憶部、２７…車速記憶部。
【図１】
2010185686.tif 000003
【図２】
2010185686.tif 000004
【図３】
2010185686.tif 000005
【図４】
2010185686.tif 000006